(57)【要約】【課題】装着した状態で装着者が運動した場合であっても、良好なフィット性を実現可能な吸収性物品を提供する。【解決手段】互いに直交する長手方向と幅方向とを有し、液吸収性の吸収体（１０）と、前記長手方向に間隔を空けて、前記幅方向に沿って設けられた複数の折り目と、を備え、前記吸収体（１０）は、前記複数の折り目のうち、前記長手方向において装着者の排泄口と当接する排泄口当接領域の後側であって、前記排泄口当接領域に最も近い位置に配置されている後側折り目（Ｆ２）よりも後側の領域に、前記幅方向の両側が前記幅方向の内側に凹んだくびれ部（１９）を有している。【選択図】図１
2018121864.tif 000002
【特許請求の範囲】
【請求項１】
互いに直交する長手方向と幅方向とを有し、
液吸収性の吸収体と、
前記長手方向に間隔を空けて、前記幅方向に沿って設けられた複数の折り目と、
を備え、
前記吸収体は、前記複数の折り目のうち、前記長手方向において装着者の排泄口と当接する排泄口当接領域の後側であって、前記排泄口当接領域に最も近い位置に配置されている後側折り目よりも後側の領域に、前記幅方向の両側が前記幅方向の内側に凹んだくびれ部を有している、ことを特徴とする吸収性物品。
【請求項２】
請求項１に記載の吸収性物品であって、
複数の圧搾部が前記長手方向の後側から前側へ、かつ、前記幅方向の外側から内側へ向かって並んだ線状圧搾部を有し、
前記線状圧搾部を前記幅方向の外側に向けて延長した延長線と、前記くびれ部における前記吸収体の外縁とが交差する、ことを特徴とする吸収性物品。
【請求項３】
請求項２に記載の吸収性物品であって、
前記線状圧搾部を前記幅方向の外側に向けて延長した延長線と、前記くびれ部のうち前記吸収体の幅が最も狭くなる位置における前記吸収体の外縁とが交差する、ことを特徴とする吸収性物品。
【請求項４】
請求項１〜３のいずれか１項に記載の吸収性物品であって、
前記吸収体は、前記くびれ部よりも前記長手方向の後側の領域に、前記幅方向の両側が前記幅方向の内側に凹んだ第２くびれ部を有している、ことを特徴とする吸収性物品。
【請求項５】
請求項４に記載の吸収性物品であって、
複数の圧搾部が前記長手方向の後側から前側へ、かつ、前記幅方向の外側から内側へ向かって並んだ線状圧搾部であって、
前記幅方向の外側に延長した際に、前記くびれ部において前記吸収体の外縁と交差する第１線状圧搾部と、
前記幅方向の外側に延長した際に、前記第２くびれ部において前記吸収体の外縁と交差する第２線状圧搾部と、を有し、
前記第１線状圧搾部の延長線と前記第２線状圧搾部の延長線との交点は、前記吸収体と重複していない、ことを特徴とする吸収性物品。
【請求項６】
請求項１〜５のいずれか１項に記載の吸収性物品であって、
前記くびれ部の前記長手方向の前側における前記吸収体の外縁の接線と前記幅方向とがなす角度のうち小さい方の角度と、
前記くびれ部の前記長手方向の後側における前記吸収体の外縁の接線と前記幅方向とがなす角度のうち小さい方の角度と、が異なる大きさである、ことを特徴とする吸収性物品。
【請求項７】
請求項６に記載の吸収性物品であって、
前記くびれ部の前記長手方向の前側における前記吸収体の外縁の接線と前記幅方向とがなす角度のうち小さい方の角度が、
前記くびれ部の前記長手方向の後側における前記吸収体の外縁の接線と前記幅方向とがなす角度のうち小さい方の角度よりも小さい、ことを特徴とする吸収性物品。
【請求項８】
請求項１〜７のいずれか１項に記載の吸収性物品であって、
前記吸収体は、所定の坪量を有しており、
前記吸収体は、前記長手方向の後側において前記幅方向の両側に設けられ、坪量が前記所定の坪量よりも低くなった一対の両側低坪量部を有し、
前記長手方向において、前記両側低坪量部は、前記後側折り目と少なくとも一部の領域で重複している、ことを特徴とする吸収性物品。
【請求項９】
請求項８に記載の吸収性物品であって、
前記一対の両側低坪量部における前記吸収体の坪量はゼロである、ことを特徴とする吸収性物品。
【請求項１０】
請求項９に記載の吸収性物品であって、
前記両側低坪量部が設けられている部分における前記吸収体の幅の最小値は、
前記くびれ部における前記吸収体の幅の最小値よりも大きい、ことを特徴とする吸収性物品。
【請求項１１】
請求項８〜１０のいずれか１項に記載の吸収性物品であって、
前記吸収体は、前記長手方向の後側において、前記幅方向において前記一対の両側低坪量部の間に設けられ、前記長手方向に所定の長さを有し、坪量が前記所定の坪量よりも低くなった帯状の帯状低坪量部を有している、ことを特徴とする吸収性物品。
【請求項１２】
請求項１１に記載の吸収性物品であって、
前記帯状低坪量部における前記吸収体の坪量はゼロである、ことを特徴とする吸収性物品。
【請求項１３】
請求項１〜１２のいずれか１項に記載の吸収性物品であって、
前記吸収体は、前記後側折り目よりも前記長手方向の前側の領域に、前記くびれ部を有していない、ことを特徴とする吸収性物品。
【発明の詳細な説明】
【技術分野】
【０００１】
本発明は、吸収性物品に関する。
【背景技術】
【０００２】
経血などの排泄液を吸収する吸収性物品として生理用ナプキンが知られている。同ナプキンは、互いに直交する長手方向と幅方向と厚さ方向とを有している。また、同ナプキンは、液透過性のトップシートと液不透過性のバックシートとの間に、液体吸収性繊維を主材とする吸収体を有している。このような生理用ナプキンの例として、特許文献１には、適宜なスリットを設けることにより吸収体を変形しやすくすることで、装着時において装着者の身体にフィットしやすく液漏れが生じにくい生理用ナプキンが開示されている。
【先行技術文献】
【特許文献】
【０００３】
【特許文献１】特開２００８−９３２８９号
【発明の概要】
【発明が解決しようとする課題】
【０００４】
特許文献１に記載された生理用ナプキンを装着した状態で、装着者が歩行等の運動を行った場合、臀部（お尻）の左右が別々に上下運動するのに対して、臀部にフィットした状態の吸収体が臀部の運動に十分追従できない場合がある。例えば、ナプキンの吸収体が臀部に対して平面的にフィットしている状態で臀部が運動する場合、吸収体は平面形状を維持し続けることから、吸収体が肌に接触したり離れたりすることによりフィット性が悪化し、着用者に不快感を与えるおそれがある。
【０００５】
本発明は、上記のような問題に鑑みてなされたものであって、その目的とするところは、装着した状態で装着者が運動をした場合であっても、良好なフィット性を実現可能な吸収性物品を提供することにある。
【課題を解決するための手段】
【０００６】
上記目的を達成するための主たる発明は、互いに直交する長手方向と幅方向とを有し、液吸収性の吸収体と、前記長手方向に間隔を空けて、前記幅方向に沿って設けられた複数の折り目と、を備え、前記吸収体は、前記複数の折り目のうち、前記長手方向において装着者の排泄口と当接する排泄口当接領域の後側であって、前記排泄口当接領域に最も近い位置に配置されている後側折り目よりも後側の領域に、前記幅方向の両側が前記幅方向の内側に凹んだくびれ部を有している、ことを特徴とする吸収性物品である。
【０００７】
本発明の他の特徴については、本明細書及び添付図面の記載により明らかにする。
【発明の効果】
【０００８】
本発明によれば、装着した状態で装着者が運動をした場合であっても、良好なフィット性を実現可能な吸収性物品を提供することができる。
【図面の簡単な説明】
【０００９】
【図１】ナプキン１を厚さ方向の肌側から見た概略平面図である。
【図２】ナプキン１を厚さ方向の非肌側から見た概略平面図である。
【図３】図１中のＡ−Ａ矢視で示す概略断面である。
【図４】吸収体１０を厚さ方向の肌側から見た概略平面図である。
【図５】吸収体１０の長手方向の後側領域について拡大して表した平面図である。
【発明を実施するための形態】
【００１０】
本明細書及び添付図面の記載により、少なくとも以下の事項が明らかとなる。
互いに直交する長手方向と幅方向とを有し、液吸収性の吸収体と、前記長手方向に間隔を空けて、前記幅方向に沿って設けられた複数の折り目と、を備え、前記吸収体は、前記複数の折り目のうち、前記長手方向において装着者の排泄口と当接する排泄口当接領域の後側であって、前記排泄口当接領域に最も近い位置に配置されている後側折り目よりも後側の領域に、前記幅方向の両側が前記幅方向の内側に凹んだくびれ部を有している、ことを特徴とする吸収性物品。
【００１１】
このような吸収性物品によれば、装着時において、吸収体の後側領域がくびれ部を基点として斜めにねじれるように折れ曲がり変形しやすくなる。したがって、当該吸収体の後側領域が、装着者の身体（臀部）の曲面に対してしっかりと面でフィットしつつ、臀部の動きにも追従して変形しやすくなり、良好なフィット性を実現することができる。
【００１２】
かかる吸収性物品であって、複数の圧搾部が前記長手方向の後側から前側へ、かつ、前記幅方向の外側から内側へ向かって並んだ線状圧搾部を有し、前記線状圧搾部を前記幅方向の外側に向けて延長した延長線と、前記くびれ部における前記吸収体の外縁とが交差する、ことが望ましい。
【００１３】
このような吸収性物品によれば、くびれ部において吸収体の外縁を基点として形成される折れ曲がり線が、線状圧搾部に導かれやすくなり、吸収体の折れ曲がり変形を線状圧搾部に沿った方向に誘導しやすくなる。これにより、吸収体の折れ曲がり変形をより正確に制御することが可能となり、吸収性物品装着時における吸収体のフィット性を向上させることができる。
【００１４】
かかる吸収性物品であって、前記線状圧搾部を前記幅方向の外側に向けて延長した延長線と、前記くびれ部のうち前記吸収体の幅が最も狭くなる位置における前記吸収体の外縁とが交差する、ことが望ましい。
【００１５】
このような吸収性物品によれば、吸収体の外縁と線状圧搾部との間の距離が最も小さくなるため、くびれ部において吸収体の外縁を基点として形成される折れ曲がり線が、線状圧搾部に沿った方向により誘導されやすくなる。したがって、吸収性物品装着時における吸収体のフィット性をより向上させることができる。
【００１６】
かかる吸収性物品であって、前記吸収体は、前記くびれ部よりも前記長手方向の後側の領域に、前記幅方向の両側が前記幅方向の内側に凹んだ第２くびれ部を有している、ことが望ましい。
【００１７】
このような吸収性物品によれば、２カ所のくびれ部をそれぞれ基点として吸収体が段階的に折れ曲がり変形することにより、臀部の複雑な運動により追従しやすくなり、フィット性をより向上させることができる。また、くびれ部が複数設けられていることにより、吸収体の後側領域において、外観が略雲形の形状となり、デザイン性が向上すると共に、使用者に安らぎや安心感等のイメージを与えることができる。
【００１８】
かかる吸収性物品であって、複数の圧搾部が前記長手方向の後側から前側へ、かつ、前記幅方向の外側から内側へ向かって並んだ線状圧搾部であって、前記幅方向の外側に延長した際に、前記くびれ部において前記吸収体の外縁と交差する第１線状圧搾部と、前記幅方向の外側に延長した際に、前記第２くびれ部において前記吸収体の外縁と交差する第２線状圧搾部と、を有し、前記第１線状圧搾部の延長線と前記第２線状圧搾部の延長線との交点は、前記吸収体と重複していない、ことが望ましい。
【００１９】
このような吸収性物品によれば、２つの線状圧搾部にそれぞれ誘導された２つの折り曲げ線が吸収体の表面において交差する場合、当該交差した部分で吸収体が集中的に折れ曲がることにより、吸収体がへたりやすくなったり、液吸収性が悪化したりするおそれがある。これに対して、２つの線状圧搾部の延長線の交点が吸収体と重複しないようにすることで、このような問題が生じることを抑制することができる。
【００２０】
かかる吸収性物品であって、前記くびれ部の前記長手方向の前側における前記吸収体の外縁の接線と前記幅方向とがなす角度のうち小さい方の角度と、前記くびれ部の前記長手方向の後側における前記吸収体の外縁の接線と前記幅方向とがなす角度のうち小さい方の角度と、が異なる大きさである、ことが望ましい。
【００２１】
このような吸収性物品によれば、くびれ部の長手方向における前側の領域と後側の領域とで吸収体の幅が異なり、剛性に差が生じるため、吸収体が折れ曲がり変形を生じやすくなる。すなわち、くびれ部の形状を調整することにより吸収体の折れ曲がり変形を制御しやすくすることができる。これにより、吸収体のフィット性を向上させやすくなる。
【００２２】
かかる吸収性物品であって、前記くびれ部の前記長手方向の前側における前記吸収体の外縁の接線と前記幅方向とがなす角度のうち小さい方の角度が、前記くびれ部の前記長手方向の後側における前記吸収体の外縁の接線と前記幅方向とがなす角度のうち小さい方の角度よりも小さい、ことが望ましい。
【００２３】
このような吸収性物品によれば、くびれ部を基点として折れ曲がり変形が生じる際に、折れ曲がり線が長手方向の後側から前側、かつ、幅方向の外側から内側へ誘導されやすくなる。また、折れ曲がり線の方向が制御されやすくなることにより、吸収体に余計な皺やよれが生じるのを抑制し、装着時におけるフィット性をより高めることができる。
【００２４】
かかる吸収性物品であって、前記吸収体は、所定の坪量を有しており、前記吸収体は、前記長手方向の後側において前記幅方向の両側に設けられ、坪量が前記所定の坪量よりも低くなった一対の両側低坪量部を有し、前記長手方向において、前記両側低坪量部は、前記後側折り目と少なくとも一部の領域で重複している、ことが望ましい。
【００２５】
このような吸収性物品によれば、両側低坪量部が設けられている位置において、吸収体の坪量がその前後の領域の坪量よりも小さく、剛性が低くなっている。またその低剛性部分が後側折り目と少なくとも一部で重複することにより、吸収体は両側低坪量部の位置において自然に折れ曲がり変形を生じやすくなる。これにより、吸収性物品の装着時において、両側低坪量部よりも長手方向の後側の領域が着用者の臀部に面でフィットしやすくなる。
【００２６】
かかる吸収性物品であって、前記一対の両側低坪量部における前記吸収体の坪量はゼロである、ことが望ましい。
【００２７】
このような吸収性物品によれば、両側低坪量部の坪量がゼロであることから、該両側低坪量部の前後の領域との剛性差がより大きくなり、吸収体は両側低坪量部の位置において折れ曲がり変形をより生じやすくなる。
【００２８】
かかる吸収性物品であって、前記両側低坪量部が設けられている部分における前記吸収体の幅の最小値は、前記くびれ部における前記吸収体の幅の最小値よりも大きい、ことが望ましい。
【００２９】
このような吸収性物品によれば、両側低坪量部では吸収体の長手方向における折れ曲がり変形をより安定して生じやすくすることができる。一方、くびれ部では吸収体が過度に内側に凹むことが抑制され、面積を広く取ることができるため、吸収体の後側領域が装着者の臀部を広く覆うことができるようになると共に、当該領域における吸収体の液吸収性能（吸収容量）を十分に確保することが可能となる。
【００３０】
かかる吸収性物品であって、前記吸収体は、前記長手方向の後側において、前記幅方向において前記一対の両側低坪量部の間に設けられ、前記長手方向に所定の長さを有し、坪量が前記所定の坪量よりも低くなった帯状の帯状低坪量部を有している、ことが望ましい。
【００３１】
このような吸収性物品によれば、装着時において、吸収体の長手方向後側領域のうち帯状低坪量部によって幅方向に分割された領域が、それぞれ着用者の臀部の運動に追従して個別に動作することが可能となる。したがって、着用者の臀部において吸収体が肌に触れたり離れたりすることが抑制され、フィット性を向上させることができる。また、くびれ部を基点として生じる吸収体の折れ曲がり変形（ねじれ変形）が、左右独立して生じるようになるため、装着者が歩行等を行った場合でも、吸収体が臀部によりフィットしやすくなる。
【００３２】
かかる吸収性物品であって、前記帯状低坪量部における前記吸収体の坪量はゼロである、ことが望ましい。
【００３３】
このような吸収性物品によれば、吸収体の長手方向後側の領域のうち帯状低坪量部によって幅方向に分割された各領域が互いに切り離された状態となっているため、当該各領域の変形が互いに干渉され難く、自由に変形しやすくなる。これにより、各領域がそれぞれ臀部の動きに追従しやすくなり、フィット性がより向上する。
【００３４】
かかる吸収性物品であって、前記吸収体は、前記後側折り目よりも前記長手方向の前側の領域に、前記くびれ部を有していない、ことが望ましい。
【００３５】
このような吸収性物品によれば、吸収体の長手方向前側領域の面積を広く確保することが可能となるため、当該前側領域における液体吸収容量を大きくして尿漏れ等を効率的に抑制することができる。
【００３６】
＝＝＝実施形態＝＝＝
＜生理用ナプキンの構成＞
本実施形態に係る吸収性物品の一例として生理用ナプキン１（以下、単にナプキン１とも呼ぶ）について説明する。なお、以下の説明では吸収性物品の例として生理用ナプキンについて説明するが、本実施形態の吸収性物品には、所謂おりものシート（例えばパンティライナー）等も含まれており、生理用ナプキンに限定されるものではない。
【００３７】
図１は、ナプキン１を厚さ方向の肌側から見た概略平面図である。図２はナプキン１を厚さ方向の非肌側から見た概略平面図である。図３は、図１中のＡ−Ａ矢視で示す概略断面である。図４は、吸収体１０を厚さ方向の肌側から見た概略平面図である。また、以下の説明では、図１〜図４に示すように、各方向を定義する。すなわち、ナプキン１の製品長手方向に沿った「長手方向」と、ナプキン１の製品短手方向に沿って長手方向と直交する「幅方向」と、長手方向及び幅方向とそれぞれ直交する「厚さ方向」と、を定義する。長手方向は、ナプキン１の使用時において使用者の腹側となる方向である「前側」と、使用者の背側となる方向である「後側」とを有する。厚さ方向は、ナプキン１の着用時に着用者の肌と当接する側（図３において上側）である「肌側」と、その逆側（図３において下側）である「非肌側」とを有する。
【００３８】
ナプキン１は、平面視縦長形状のシート状部材であり、一対のサイドシート２と、トップシート３と、セカンドシート４と、吸収体１０と、バックシート５とが厚さ方向の肌側から非肌側へと順に積層されて形成されている（図３参照）。そして、これら各部材２，３，４，１０，５は、それぞれ、厚さ方向に隣接する部材と、ホットメルト接着剤等の接着剤（不図示）で接合されている。なお、接着剤の塗布パターンとしては、Ωパターンやスパイラルパターン、ストライプパターン等を例示できる。
【００３９】
また、ナプキン１は、吸収体１０が設けられたナプキン本体部２０と、ナプキン本体部２０の長手方向中央領域から幅方向の両外側に延出した一対のウイング部３０とを有する。このウイング部３０が設けられる長手方向中央領域は、ナプキン１の装着時において装着者の排泄口（股下部）と当接する領域である。すなわち、ナプキン１は長手方向の中央部に「排泄口当接領域」を有している。また、便宜上、排泄口当接領域よりも長手方向の後側の領域を単に「後側領域」と呼び、排泄口当接領域よりも長手方向の前側の領域を単に「前側領域」と呼ぶ場合がある。
【００４０】
トップシート３は、液透過性のシートであり、エアスルー不織布等を例示できる。バックシート５は、液不透過性のシートであり、ポリエチレン（ＰＥ）の樹脂フィルム等を例示できる。サイドシート２は、液透過性のシートであっても液不透過性のシートであってもよく、トップシート３と同じエアスルー不織布等を例示できる。トップシート３及びバックシート５は、平面サイズが吸収体１０よりも大きくされている。そして、図１及び図２に示されるように、サイドシート２及びトップシート３と、バックシート５との外周縁部２ｅ，３ｅ，５ｅ同士が接着又は溶着で接合されることにより、これらのシート同士の間に吸収体１０が保持されている。また、一対のサイドシート２は、トップシート３の幅方向の両側部から幅方向の外側に延出しており、バックシート５と共に一対のウイング部３０を形成する。
【００４１】
セカンドシート４は、液透過性のシートであり、トップシート３と同じエアスルー不織布等を例示できる。セカンドシート４は、吸収体１０の肌側面上に設けられ、経血等の排泄物の逆戻り防止、排泄物の拡散向上、及びクッション性の向上等の役割を果たす。但しナプキン１がセカンドシート４を有さなくてもよい。
【００４２】
ナプキン本体部２０の厚さ方向における非肌側面（つまりバックシート５の非肌側面）には、長手方向に沿った複数の帯状の領域に適宜な接着剤ＨＭＡを塗布することにより形成された本体部用粘着部２１が設けられている。ナプキン１の使用時に本体部用粘着部２１は下着等の肌側面に貼り付けられ、これによりナプキン１は下着等に固定される。本実施形態では、図２に示されるように、長手方向の中央部に配置された中央本体部用粘着部２１ｃと、中央本体部用粘着部２１ｃよりも長手方向の前側に配置された前側本体部用粘着部２１ｆと、中央本体部用粘着部２１ｃよりも長手方向の後側に配置された後側本体部用粘着部２１ｒと、が設けられている。
【００４３】
同様に各ウイング部３０の厚さ方向における非肌側面（つまりバックシート５の非肌側面）には、ウイング部用粘着部３１が設けられている。ナプキン１の使用時にウイング部３０は非肌側に折り曲げられ、ウイング部用粘着部３１は下着等の非肌側面に貼り付けられ、これによりナプキン１は下着等に固定される。図２に示すウイング部用粘着部３１は長手方向に長辺を有する長方形状の粘着部である。なお、上記の本体部用粘着部２１及びウイング部用粘着部３１の形状、数、大きさ等は図２に示すものに限らない。
【００４４】
吸収体１０は、経血等の液体（排泄物）を吸収して内部に保持する部材であり、吸収性コア１２と、吸収性コア１２よりも厚さ方向の肌側に上層シート１１と、吸収性コア１２よりも厚さ方向の非肌側に下層シート１３とを有する。吸収性コア１２は、液体吸収性繊維を有するものであればよく、パルプ繊維等の液体吸収性繊維に高吸収性ポリマー（所謂ＳＡＰ）を含有するものを例示できる。上層シート１１は、液透過性のシートであり、ティッシュペーパー等を例示できる。下層シート１３は、液透過性のシートであっても液不透過性のシートであってもよく、ＳＭＳ（スパンボンド／メルトブローン／スパンボンド）不織布等を例示できる。吸収性コア１２、上層シート１１及び下層シート１３は、平面形状が同じであり、厚さ方向に積層されている。各部材１１〜１３は接着剤によって互いに接合されていても接合されていなくてもよいとする。
【００４５】
吸収体１０は所定の坪量ｍ１０を有するように形成されている。ここで、坪量とは、単位面積当たりの質量のことであり、吸収体１０は、ほぼ全領域において坪量ｍ１０がほぼ均一となるように形成されている。均一な坪量ｍ１０で形成されることにより、吸収体１０が平面形状を保ちやすくなり、ナプキン１の装着時において、吸収体１０を装着者の身体に面形状でフィットさせやすくなる。なお、本実施形態の吸収体１０における所定の坪量ｍ１０の大きさは１００〜５００（ｇ／ｍｍ２）程度である。
【００４６】
一方、吸収体１０の一部の領域の坪量は、所定の坪量ｍ１０よりも低くなっている。具体的には、長手方向の前側（長手方向の中央よりも前側であって、本実施形態ではウイング部３０よりも前側）において吸収体１０の幅方向両側に設けられた一対の前方両側低坪量部１５（図４においては斜線部で示されている）における坪量ｍ１５、及び、長手方向の後側（長手方向の中央よりも後側であって、本実施形態ではウイング部３０よりも後側）において、吸収体１０の幅方向両側に設けられた一対の後方両側低坪量部１６（図４においては斜線部で示されている）における坪量ｍ１６が、所定の坪量ｍ１０よりも低くなっている。同様に、長手方向の前側において一対の前方両側低坪量部１５の幅方向の間に設けられ、長手方向に所定の長さを有する帯状の前方帯状低坪量部１７（図４においてはクロスハッチングで示されている）における坪量ｍ１７、及び、長手方向の後側において一対の後方両側低坪量部１６の幅方向の間に設けられ、長手方向に所定の長さを有する帯状の後方帯状低坪量部１８（図４においてはクロスハッチングで示されている）における坪量ｍ１８が、所定の坪量ｍ１０よりも低くなっている。詳細は後述するが、低坪量部１５〜１８を有していることにより、ナプキン１の装着時において着用者の身体形状にあわせて吸収体１０が変形しやすくなり、フィット性をより向上させることができる。
【００４７】
なお、本実施形態では、各低坪量部１５〜１８における坪量ｍ１５〜ｍ１８が、いずれもゼロ（ｇ／ｍｍ２）である。すなわち、吸収体１０のうち低坪量部１５〜１８に相当する領域が切り欠かれた状態となっている。但し、低坪量部１５〜１８の坪量ｍ１５〜ｍ１８が所定の坪量ｍ１０よりも低ければ、必ずしもゼロである必要は無く、また、ｍ１５〜ｍ１８がそれぞれ異なる大きさを有していても良い。
【００４８】
吸収体１０には、ウイング部３０よりも長手方向の後側の領域において、幅方向の両側が幅方向の内側に凹むことによって吸収体１０の幅が狭くなった部分であるくびれ部１９が形成されている（図１参照）。該くびれ部１９では、長手方向における前側端１９ｌｆの位置から長手方向の外側（後側）に向かって徐々に吸収体１０の幅が狭くなっていき、長手方向の１９ｌｃの位置において吸収体１０の幅が最も狭くなる。同様に、長手方向における後側端１９ｌｒの位置から長手方向の内側（前側）に向かって徐々に吸収体１０の幅Ｗ１６が狭くなっていき、長手方向の１９ｌｃの位置において吸収体１０の幅が最も狭くなる。すなわち、くびれ部１９は、長手方向における１９ｌｆと１９ｌｒとの間の領域で、吸収体１０の幅が狭くなった部分のことを言う。
【００４９】
本実施形態の吸収体１０は、図４に示されるように、後方両側低坪量部１６よりも長手方向の後側（すなわち、後述する後側折り目Ｆ２よりも後側）において、幅方向の両側が幅方向の内側に凹むことによって幅が狭くなった部分である第１くびれ部１９１を有している。そして、第１くびれ部１９１よりも長手方向の後側において、幅方向の両側が幅方向の内側に凹むことによって幅が狭くなった部分である第２くびれ部１９２を有している。なお、くびれ部１９１，１９２は、吸収体１０の幅方向両側が切り欠かれることによって形成されるのであっても良いし、吸収体１０を製造する過程において、くびれ部１９１，１９２が形成されるように吸収体１０の基材が積層されるようにしても良い。また、他の方法によって形成されるのであっても良い。
【００５０】
ナプキン１には、厚さ方向の肌側から非肌側に向かって凹んだ部位であり、隣接する部位に比べて液体吸収性繊維の密度の高い圧搾部４０（凹部）が複数設けられている（図１参照）。圧搾部４０では、トップシート３、セカンドシート４、及び吸収体１０の厚さ方向の全域が、厚さ方向の肌側から圧搾（エンボス加工）され、接合一体化されている。これら複数の圧搾部４０は、狭い間隔で隣り合いつつ、吸収体１０の外縁に沿うように配置された線状圧搾部４１と、隣り合う圧搾部４０同士の間隔が広い点状圧搾部４２とを形成している。但し、上記に限らず、吸収体１０にのみ圧搾部４０を設けたり、トップシート３から吸収性コア１２の厚さ方向肌側の一部までにしか圧搾部４０を設けなかったり、バックシート５から吸収体１０に圧搾部４０を設けたりしてもよい。また、各圧搾部４１，４２の配置パターンも図１に示すものに限らない。
【００５１】
吸収体１０において、圧搾部４０とそれに隣接する部位とでは、液体吸収性繊維の坪量が等しいとし、圧搾部４０では液体吸収性繊維の圧搾によってその密度が高くなったとする。なお、圧搾部４０とそれに隣接する部位との液体吸収性繊維の密度の比較は周知の方法で行えばよい。例えば、吸収体１０を厚さ方向に切った断面を電子顕微鏡等により撮影し、圧搾部４０と隣接する部位とで繊維の密度差を目視で比較したり、各部位の繊維の本数で比較したりするとよい。その他、圧搾部４０と隣接する部位とを吸収体１０から切り出して、各部位の質量を面積で除することで坪量（ｇ／ｃｍ２）を算出し、その坪量を厚さで除することで繊維密度（ｇ／ｃｍ３）を算出して比較してもよい。
【００５２】
また、本実施形態のナプキン１は、製品として市場に出荷される際の個別包装状態において、長手方向の所定の位置に設定された前側折り目Ｆ１及び後側折り目Ｆ２におい長手方向に三つ折りに折り畳まれる。前側折り目Ｆ１は、図１に示されるように長手方向の前側（排泄口当接領域よりも前側）において、幅方向に沿って形成され、長手方向において前方両側低坪量部１５の少なくとも一部と重服する位置に配置されている。同様に、後側折り目Ｆ２は、長手方向の後側（排泄口当接領域よりも後側）において、幅方向に沿って形成され、長手方向において後方両側低坪量部１６の少なくとも一部と重服する位置に配置されている。なお、ナプキン１に設けられる折り目の数や位置は必ずしもこれに限られるものではない。例えば、後側折り目Ｆ２よりも後側にさらに折り目が設けられていても良い。
【００５３】
＜ナプキン１のフィット性について＞
ナプキン１は、上述した本体部用粘着部２１及びウイング部用粘着部３１を用いて下着（ショーツ）の肌側面に固定された状態で該下着を引き上げることによって装着される。そして、本実施形態の吸収体１０は、一対の前方両側低坪量部１５が設けられている位置において、その前後の領域よりも坪量が小さく、剛性が低くなっている。そのため、吸収体１０は前方両側低坪量部１５の位置を基点として長手方向に折れ曲がりやすく、該前方両側低坪量部１５よりも長手方向前側の領域が着用者の腹部にフィットしやすくなっている。特に本実施形態では、前方両側低坪量部１５の坪量がゼロであることから、前方両側低坪量部１５の前後の領域との剛性差がより大きくなり、吸収体１０は前方両側低坪量部１５の位置において自然に折れ曲がり変形を生じやすくなる。同様に、吸収体１０は、一対の後方両側低坪量部１６が設けられている位置において、その前後の領域よりも坪量が小さく、剛性が低くなっている。そのため、吸収体１０は後方両側低坪量部１６を基点として長手方向に折れ曲がりやすく、該後方両側低坪量部１６よりも長手方向の後側の領域が着用者の臀部に面でフィットしやすくなっている。そして、後方両側低坪量部１６の坪量がゼロであることから、後方両側低坪量部１６の前後の領域との剛性差がより大きくなり、吸収体１０は後方両側低坪量部１６の位置において自然に折れ曲がり変形を生じやすくなる。
【００５４】
なお、ナプキン１では、吸収体１０の長手方向において前方両側低坪量部１５と重複する位置に前側折り目Ｆ１が設けられ、後方両側低坪量部１６と重複する位置に後側折り目Ｆ２が設けられている。前側折り目Ｆ１及び後側折り目Ｆ２によってあらかじめ吸収体１０に折り癖がつけられているため、長手方向における前方両側低坪量部１５及び後方両側低坪量部１６の位置に、折れ曲がり基点がより形成されやすい。したがって、個別包装状態を解いてすぐにナプキン１を使用した場合であっても、ナプキン１の前側領域及び後側領域を着用者の腹部及び臀部にしっかりとフィットさせることができる。
【００５５】
ところで、ナプキン１のような生理用ナプキン（吸収性物品）は、一般に着用者が着用した状態でストレスや不快感を生じさせることなく日常生活を送れることが要求される。しかしながら、従来の生理用ナプキンでは、着用者が身体を動かした際にフィット性が悪化してしまう場合があった。例えば、着用者が生理用ナプキンを着用した状態で歩行を行う場合、臀部（背側）において左右の大臀筋が交互に上下運動する。このとき、吸収体の後側領域が平面形状を維持し続けていると、ねじれ変形のような３次元的な変形が生じ難く、臀部の運動に対して吸収体が十分に追従することが困難になる。このような状態では、臀部の左右で吸収体が肌に触れたり離れたりすることが繰り返され、着用者に不快感や違和感を生じさせやすくなる。また、装着者が身体を動かした際に、吸収体に不規則な皺や折れ目が形成されることによって吸収体がよれやすくなり、フィット性が悪化するおそれがある。
【００５６】
これに対して、本実施形態のナプキン１の吸収体１０は、長手方向において、第２折り目Ｆ２よりも後側（すなわち、後方両側低坪量部１６よりも後側）にくびれ部１９が設けられている。このくびれ部１９における幅Ｗ１９（図５参照）は吸収体１０の他の領域における幅よりも短いため、ナプキン１の着用時に吸収体１０を長手方向や幅方向に折り曲げようとする力（応力）が作用した際には、該くびれ部１９において応力集中が生じやすい。したがって、吸収体１０はくびれ部１９を基点として折れ曲がり変形を生じやすくなる。
【００５７】
図５は、吸収体１０の長手方向の後側領域について拡大して表した平面図である。図５において、吸収体１０の表面に応力が作用すると、第１くびれ部１９１における吸収体１０の外縁（エッジ）部から幅方向の反対側（内側）に向けて、かつ、長手方向の後側から前側（後側折り目Ｆ２側）に向けて折れ曲がり変形が生じる。図５では、第１くびれ部１９１にて形成される折れ曲がり線の方向を破線で示している。ナプキン１の着用時において、吸収体１０の後側領域が破線で示されるような折れ曲がり線にて折れ曲がり、斜めにねじれるように変形することにより、装着者の身体（臀部）の曲面にフィットしつつ臀部の動きにも追従しやすくなる。
【００５８】
また、第１くびれ部１９１の長手方向の後側に設けられた第２くびれ部１９２においても同様の折れ曲がり線が形成される。すなわち、第２くびれ部１９２における吸収体１０の外縁（エッジ）部から幅方向の反対側（内側）に向けて、かつ、長手方向の後側から前側に向けて折れ曲がり変形が生じる。吸収体１０が第１くびれ部１９１及び第２くびれ部１９２をそれぞれ基点として段階的に折れ曲がり変形することにより、臀部の複雑な運動により追従しやすくなり、フィット性をより向上させることができる。また、くびれ部１９が複数設けられていることにより、吸収体１０の後側領域において、外観が図５のような雲形の形状となり、デザイン性が向上すると共に、使用者に安らぎや安心感等のイメージを与えることができる。
【００５９】
さらに、本実施形態では、線状圧搾部４１によって吸収体１０の折れ曲がり変形が所定の方向に誘導されやすくなっている。図５では、吸収体１０の表面に、長手方向の後側から前側へ、かつ、幅方向の外側から内側へ向かう第１折れ曲がり誘導圧搾部４１１が設けられている。そして、第１折れ曲がり誘導圧搾部４１１は、第１くびれ部１９１を基点とした折れ曲がり線（図５において破線で示されている）と重複している。また、長手方向において第１折れ曲がり誘導圧搾部４１１よりも後側の領域に、長手方向の後側から前側へ、かつ、幅方向の内側から外側へ向かう第２折れ曲がり誘導圧搾部４１２が設けられている。そして、第２折れ曲がり誘導圧搾部４１２は、第２くびれ部１９２を基点とした折れ曲がり線（図５において二点鎖線で示されている）と重複している。
【００６０】
これらの折れ曲がり誘導圧搾部４１１，４１２では、吸収体１０が厚さ方向に圧搾されることによって密度が高く、厚さが薄くなっていることから、該折れ曲がり誘導圧搾部４１１，４１２に沿って吸収体１０の折れ曲がり変形が生じやすい。したがって、折れ曲がり誘導圧搾部４１１，４１２の配置を調整することにより、第１くびれ部１９１及び第２くびれ部１９２において吸収体１０の外縁を基点として生じる折れ曲がり変形を所望の方向に誘導しやすくなる。これにより、吸収体１０のサイズや形状に応じて折れ曲がり方向を自在に調整することが可能となり、フィット性をより向上させることができる。
【００６１】
また、本実施形態では、第１折れ曲がり誘導圧搾部４１１の延長線と第１くびれ部１９１における吸収体１０の外縁（エッジ）とが交差するように第１折れ曲がり誘導圧搾部４１１が配置されている。言い換えると、第１折れ曲がり誘導圧搾部４１１を幅方向の外側に延長した延長線が、吸収体１０の幅方向外側の縁（外縁）のうち、第１くびれ部１９１の長手方向の前側端１９１ｌｆと後側端１９１ｌｒとの間の領域を通過するように、第１折れ曲がり誘導圧搾部４１１が配置されている。これにより、ナプキン１の装着時に、第１くびれ部１９１によって吸収体１０の幅が狭くなっている部分を基点として形成される折れ曲がり線が、自然に第１折れ曲がり誘導圧搾部４１１へと導かれ、吸収体１０の折れ曲がり変形が第１折れ曲がり誘導圧搾部４１１に沿って進行しやすくなる。したがって、吸収体１０の折れ曲がり変形をより正確に制御することができるようになる。
【００６２】
なお、図５では、第１折れ曲がり誘導圧搾部４１１の延長線が、吸収体１０の第１くびれ部１９１の外縁のうち幅Ｗ１９が最も狭くなっている位置（図４の１９ｌｃに相当する位置）と交差するように第１折れ曲がり誘導圧搾部４１１が配置されている。この場合吸収体１０の外縁と第１折れ曲がり誘導圧搾部４１１との間の距離が最も近くなるため、折れ曲がり変形を所定の方向に誘導する効果が最も高くなる。但し、第１折れ曲がり誘導圧搾部４１（及びその延長線）は、上述のように、吸収体１０の外縁のうち、幅方向両側が内側に凹むことによって幅Ｗ１９が狭くなっている領域（図４の１９ｌｆと１９ｌｒとの間に相当する領域）と交差するように配置されていれば良い。このような配置であれば、第１くびれ部１９１を基点として形成される吸収体１０の折れ曲がり線を第１折れ曲がり誘導圧搾部４１１に沿って誘導するという効果を得ることができる。
【００６３】
同様に、第２折れ曲がり誘導圧搾部４１２の延長線と第２くびれ部１９２における吸収体１０の外縁（エッジ）とが交差するように第２折れ曲がり誘導圧搾部４１２が配置されている。
【００６４】
また、本実施形態において、第１折れ曲がり誘導圧搾部４１１及び第２折れ曲がり誘導圧搾部４１２が幅方向となす角度（すなわち、幅方向に対する折れ曲がり誘導圧搾部４１１，４１２の傾き）はそれぞれ異なっている。言い換えると、第１折れ曲がり誘導圧搾部４１１と第２折れ曲がり誘導圧搾部４１２とは、互いに平行ではない、折れ曲がり誘導圧搾部４１１，４１２の傾きがそれぞれ異なることにより、吸収体１０の後側領域が折れ曲がり変形する際の角度（ねじれの角度）が段階的に変化すしやすくなる。これにより、吸収体１０が複雑な曲面によりフィットしやすくなり、臀部の運動に追従しやすくなる。
【００６５】
このとき、第１折れ曲がり誘導圧搾部４１１の延長線と、第２折れ曲がり誘導圧搾部４１２の延長線との交点が吸収体１０と重複しないように、各折れ曲がり誘導圧搾部４１１，４１２がそれぞれ配置されている。仮に、両者の延長線が吸収体１０と重複する位置において互いに交差したとすると、第１折れ曲がり誘導圧搾部４１１に誘導された折れ曲がり線と、第２折れ曲がり誘導圧搾部４１２に誘導された折れ曲がり線とが、吸収体１０上の或る位置において交差することになる。この場合、２つの折れ曲がり線が交差する部分が集中的に折れ曲がりやすくなることから吸収体１０がへたりやすく、フィット性が悪化したり、液吸収性が低下したりするおそれがある。本実施形態では、図５に示されるように第１折れ曲がり誘導圧搾部４１１の延長線と第２折れ曲がり誘導圧搾部４１２の延長線との交点が吸収体１０と重複する位置に形成されないため、このような問題が生じることを抑制することができる。
【００６６】
また、くびれ部１９の長手方向の前側領域（図４の１９ｌｆと１９ｌｃとの間の領域）における吸収体１０の外縁の接線と、幅方向とのなす角度のうち小さい方の角度θ１９ｆは、くびれ部１９の長手方向の後側領域（図４の１９ｌｒと１９１ｃとの間の領域）における吸収体１０の外縁の接線と、幅方向とのなす角度のうち小さい方の角度θ１９ｒとが異なる大きさを有している（θ１９ｆ≠θ１９ｒ）。この場合、くびれ部１９のうち長手方向の前側領域と後側領域とで吸収体１０の幅Ｗ１９が異なるため、吸収体１０に剛性差が生じ、吸収体１０が折れ曲がり変形を生じやすくなる。つまり、くびれ部１９の形状を調整することにより吸収体１０の折れ曲がり変形を制御しやすくなる。
【００６７】
本実施形態において、例えば、図５に示されるように第１くびれ部１９１の前側領域における角度θ１９１ｆは、第１くびれ部１９１の後側領域における角度θ１９１ｒよりも小さく（θ１９１ｆ＜θ１９１ｒ）、第１くびれ部１９１では長手方向の後側領域において前側領域よりも吸収体１０が大きく凹んでいる。これにより、ナプキン１の装着時にくびれ部１９を基点として折れ曲がり変形が生じる際に、折れ曲がり線は斜め方向に傾きやすくなる。その際、くびれ部１９を基点とする折れ曲がり変形は、長手方向の後側から前側、かつ、幅方向の外側から内側の方向へ誘導されやすくなり、折れ曲がり線を第１折れ曲がり誘導圧搾部４１１に合流させやすくなる。このように、折れ曲がり変形を制御することによって、吸収体１０に余計な皺やよれが生じるのを抑制し、装着時におけるフィット性をより高めることができる。
【００６８】
また、くびれ部１９における吸収体１０の幅Ｗ１９の最小値は、後方両側低坪量部１６が設けられている部分における吸収体１０の幅Ｗ１６の最小値よりも小さい。すなわち、くびれ部１９において吸収体１０の幅方向両側が幅方向の内側に凹んでいる部分の大きさは、後方両側低坪量部１６において吸収体１０の幅方向両側が幅方向の内側に凹んでいる部分の大きさよりも小さい。このような構成により、後方両側低坪量部１６では吸収体１０の長手方向における折れ曲がり変形をより安定して生じやすくすることができる。一方、くびれ部１９では吸収体１０が過度に内側に凹む（切り欠かれる）ことが抑制され、面積を広く取ることができるため、装着者の臀部が吸収体１０の後側領域によって広く覆われやすくなると共に、当該領域における液吸収性能（吸収容量）を十分に確保することが可能となる。
【００６９】
また、本実施形態のナプキン１では、後方帯状低坪量部１８によって吸収体１０の長手方向後側の領域が幅方向に分割されている。そして、長手方向において、吸収体１０の折れ曲がり変形の基点となる後方両側低坪量部１６の位置と、後方帯状低坪量部１８とが重複していることにより、幅方向に分割された領域が、折れ曲がり基点においてそれぞれ独立して折れ曲がり変形を生じやすくなっている。仮に、長手方向において後方両側低坪量部１６と後方帯状低坪量部１８とが重複しないように配置されている場合には、後方帯状低坪量部１８の両側の領域に折れ曲がり基点が形成されにくくなり、当該領域において吸収体１０の折れ曲がり変形は生じにくい。一方、本実施形態では、後方帯状低坪量部１８と後方両側低坪量部１６とが重複する領域で吸収体１０が長手方向に折れ曲がりやすくなる。すなわち、後方帯状低坪量部１８の両側の領域がそれぞれ独立して折れ曲がり変形しやすくなる。
【００７０】
これにより、ナプキン１の装着時において、吸収体１０のうち後方帯状低坪量部１８によって幅方向に分割された領域が、それぞれ着用者の左右の大臀筋の動作に追従して個別に動作することが可能となる。したがって、着用者の臀部において吸収体１０が肌に触れたり離れたりすることが抑制され、臀部の左右にそれぞれ面でフィットした状態が維持されやすくなり、フィット性が向上する。また、吸収体１０の後側領域において、くびれ部１９を基点として生じる折れ曲がり変形（ねじれ変形）が、左右独立して生じるようになるため、装着者が歩行等を行った場合でも、吸収体１０が臀部によりフィットしやすくなる。
【００７１】
さらに、本実施形態では後方帯状低坪量部１８の坪量がゼロである。すなわち、後方帯状低坪量部１８によって幅方向に分割された各領域が互いに切り離された状態となっているため、着用時において当該各領域の変形が互いに干渉され難い。例えば、左右に２分割された領域のうち右側の領域が変形した場合であっても、左側の領域は右側の領域の変形に引っ張られることなく、独立して変形しやすくなる。つまり、後方帯状低坪量部１８によって幅方向に分割された各領域がより自由に変形しやすくなる。
【００７２】
また、本実施形態の吸収体１０は、長手方向の前側領域（すなわち、前側折り目Ｆ１及び後側折り目Ｆ２よりも長手方向の前側の領域）において、くびれ部１９に相当するくびれを有していない。吸収体１０の長手方向の前側領域は、ナプキン１の装着時に、装着者の腹部に当接する部位である。腹部は、臀部と比較して平面部分が広く、また、左右で異なる運動が行われることがないため、吸収体１０の追従性が問題となる可能性は低い。すなわち、吸収体１０の前側領域では、後側領域のようなねじれ変形を行う必要性が低い。そのため、吸収体１０の前側領域にはくびれ部が設けられていない。そして、くびれ部が設けられていないことにより、その分、前側領域の面積を広く確保することが可能となるため、当該前側領域における液体吸収容量を大きくして尿漏れ等を効率的に抑制することができるようなる。
【００７３】
＝＝＝その他の実施の形態＝＝＝
以上、本発明の実施形態について説明したが、上記の実施形態は、本発明の理解を容易にするためのものであり、本発明を限定して解釈するためのものではない。また、本発明は、その趣旨を逸脱することなく、変更や改良され得るとともに、本発明にはその等価物が含まれるのは言うまでもない。例えば、以下に示すような変形が可能である。
【００７４】
上述の実施形態では、吸収性コア１２は上層シート１１と下層シート１３の二枚のシートで覆われていたが、何等これに限らない。例えば、吸収性コア１２の肌側面及び非肌側面を一枚のシートで包むようにして覆っても良い。
【００７５】
上述の実施形態では、トップシート３とは異なるサイドシート２によってウイング部３０が形成されていたが、何等これに限らない。例えば、トップシート３（及びバックシート５）が、長手方向中央部の領域において幅方向外側に延出することによって、ウイング部３０が形成されているのであっても良い。
【符号の説明】
【００７６】
１  生理用ナプキン（ナプキン）、
２  サイドシート、２ｅ  外周縁、
３  トップシート、３ｅ  外周縁、
４  セカンドシート、
５  バックシート、５ｅ  外周縁、
１０  吸収体、
１１  上層シート、１２  吸収性コア、１３  下層シート、
１５  前方両側低坪量部、１６  後方両側低坪量部（両側低坪量部）、１６ｅ  境界、
１７  前方帯状低坪量部、１８  後方帯状低坪量部（帯状低坪量部）、１８ｅ  境界、
１９  くびれ部、１９１  第１くびれ部、１９２  第２くびれ部、
２０  ナプキン本体部、
２１  本体部用粘着部、２１ｃ  中央本体部用粘着部、２１ｆ  前側本体部用粘着部、
２１ｒ  後側本体部用粘着部、
３０  ウイング部、３１  ウイング部用粘着部、
４０  圧搾部、
４１  線状圧搾部、
４１１  第１折れ曲がり誘導圧搾部、４１２  第２折れ曲がり誘導圧搾部、
４２  点状圧搾部、
Ｆ１  前側折り目、Ｆ２  後側折り目、
Ｗ１６  幅、Ｗ１９  幅、
ｍ１５〜ｍ１８  坪量
θ１９ｆ  角度（前側）、θ１９ｒ  角度（後側）
【図１】
2018121864.tif 000003
【図２】
2018121864.tif 000004
【図３】
2018121864.tif 000005
【図４】
2018121864.tif 000006
【図５】
2018121864.tif 000007